(57)【要約】【課題】新規に登録する人の生体情報が既存利用者のものと類似していた場合も認証精度を低下させることなく、常に安定した運用が可能となる生体認証装置を提供する。【解決手段】顔画像や指紋画像などのバイオメトリクスを利用した生体認証装置において、新規に辞書情報を登録する際、その前に既に登録されている全ての辞書情報と照合し、一定範囲以上類似している辞書情報が存在する場合、その類似要因を抽出して可視表示する。【選択図】      図１
2005063173.tif 000002
【特許請求の範囲】
【請求項１】
あらかじめ認証対象となる被認証者の生体情報を辞書情報として記憶する辞書記憶手段と、
認証対象となる被認証者の生体情報を取得する生体情報取得手段と、
この生体情報取得手段により取得された生体情報と前記辞書記憶手段に記憶された辞書情報とを照合することにより両情報の類似度を求め、この求めた類似度により当該被認証者が本人であるか否かを判定する照合手段と、
新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、
この抽出手段の抽出結果を可視表示する表示手段と、
この表示手段の表示内容に基づき登録命令が入力されると、前記生体情報取得手段により取得された当該被認証者の生体情報を辞書情報として前記辞書記憶手段に記憶せしめる辞書登録手段と、
を具備したことを特徴とする生体認証装置。
【請求項２】
あらかじめ認証対象となる被認証者の生体情報を辞書情報として記憶する辞書記憶手段と、
認証対象となる被認証者の生体情報を取得する生体情報取得手段と、
この生体情報取得手段により取得された生体情報と前記辞書記憶手段に記憶された辞書情報とを照合することにより両情報の類似度を求め、この求めた類似度により当該被認証者が本人であるか否かを判定する照合手段と、
新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、
この抽出手段の抽出結果に基づき、新規に辞書情報を登録する被認証者に対する照合方法を決定する照合方法決定手段と、
この照合方法決定手段により決定された照合方法により、前記生体情報取得手段により取得された当該被認証者の生体情報を辞書情報として前記辞書記憶手段に記憶せしめる辞書登録手段と、
を具備したことを特徴とする生体認証装置。
【請求項３】
あらかじめ認証対象となる被認証者の生体情報を辞書情報として記憶する辞書記憶手段と、
認証対象となる被認証者の生体情報を取得する生体情報取得手段と、
この生体情報取得手段により取得された生体情報と前記辞書記憶手段に記憶された辞書情報とを照合することにより両情報の類似度を求め、この求めた類似度により当該被認証者が本人であるか否かを判定する照合手段と、
この照合手段による照合時、前記生体情報取得手段により取得された生体情報と一定範囲以上類似している辞書情報がある場合、その一定範囲以上類似している辞書情報およびその類似要因を抽出する抽出手段と、
この抽出手段の抽出結果に基づき、当該被認証者に対する照合方法を決定し学習する照合方法学習手段と、
を具備したことを特徴とする生体認証装置。
【請求項４】
前記抽出手段の抽出結果を可視表示する表示手段をさらに具備したことを特徴とする請求項３記載の生体認証装置。
【請求項５】
あらかじめ認証対象となる通行者の生体情報を辞書情報として記憶する辞書記憶手段と、
認証対象となる通行者の生体情報を取得する生体情報取得手段と、
この生体情報取得手段により取得された生体情報と前記辞書記憶手段に記憶された辞書情報とを照合することにより両情報の類似度を求め、この求めた類似度により当該通行者が本人であるか否かを判定する照合手段と、
この照合手段による判定の結果に基づき当該通行者の通行を制御する通行制御手段と、
新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、
この抽出手段の抽出結果を可視表示する表示手段と、
この表示手段の表示内容に基づき登録命令が入力されると、前記生体情報取得手段により取得された当該通行者の生体情報を辞書情報として前記辞書記憶手段に記憶せしめる辞書登録手段と、
を具備したことを特徴とする通行制御装置。
【請求項６】
あらかじめ認証対象となる通行者の生体情報を辞書情報として記憶する辞書記憶手段と、
認証対象となる通行者の生体情報を取得する生体情報取得手段と、
この生体情報取得手段により取得された生体情報と前記辞書記憶手段に記憶された辞書情報とを照合することにより両情報の類似度を求め、この求めた類似度により当該通行者が本人であるか否かを判定する照合手段と、
この照合手段による判定の結果に基づき当該通行者の通行を制御する通行制御手段と、
新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、
この抽出手段の抽出結果に基づき、新規に辞書情報を登録する通行者に対する照合方法を決定する照合方法決定手段と、
この照合方法決定手段により決定された照合方法により、前記生体情報取得手段により取得された当該通行者の生体情報を辞書情報として前記辞書記憶手段に記憶せしめる辞書登録手段と、
を具備したことを特徴とする通行制御装置。
【請求項７】
あらかじめ認証対象となる通行者の生体情報を辞書情報として記憶する辞書記憶手段と、
認証対象となる通行者の生体情報を取得する生体情報取得手段と、
この生体情報取得手段により取得された生体情報と前記辞書記憶手段に記憶された辞書情報とを照合することにより両情報の類似度を求め、この求めた類似度により当該通行者が本人であるか否かを判定する照合手段と、
この照合手段による照合時、前記生体情報取得手段により取得された生体情報と一定範囲以上類似している辞書情報がある場合、その一定範囲以上類似している辞書情報およびその類似要因を抽出する抽出手段と、
この抽出手段の抽出結果に基づき、当該通行者に対する照合方法を決定し学習する照合方法学習手段と、
前記照合手段による判定の結果に基づき当該通行者の通行を制御する通行制御手段と、
を具備したことを特徴とする通行制御装置。
【請求項８】
前記抽出手段の抽出結果を可視表示する表示手段をさらに具備したことを特徴とする請求項７記載の通行制御装置。
【発明の詳細な説明】
【技術分野】
【０００１】
本発明は、たとえば、入退場管理システムなどにおいて、人物の顔画像、指紋画像、虹彩情報、掌形画像、指画像、音声情報などの生体情報を用いて当該人物を認証する生体認証装置、および、この生体認証装置を用いて通行者の通行（たとえば、重要施設に対する入退場など）を制御する通行制御装置に関する。
【背景技術】
【０００２】
一般に、この種の生体認証装置は、認証対象となる人物（被認証者）の生体情報をカメラやセンサなどを用いて取得し、この取得した生体情報から得られる当該人物固有の特徴情報を辞書情報として辞書記憶手段にあらかじめ記憶（登録）しておく。
【０００３】
そして、照合時には、認証対象となる人物の生体情報をカメラやセンサなどを用いて再度取得し、この取得した生体情報から得られる当該人物固有の特徴情報を辞書記憶手段にあらかじめ記憶されている辞書情報と照合することにより両情報の類似度を求め、この求めた類似度により当該通行者が本人であるか否かを判定する。たとえば、入力された生体情報が辞書情報と類似しているかどうかを評価し、類似性が高い場合には当該人物は登録者（本人）であると判定し、類似性が低い場合には未登録者（本人ではない）と判定する。
【発明の開示】
【発明が解決しようとする課題】
【０００４】
ところが、この種の生体認証装置では、生体情報の照合方法によっては、たとえば、同じメガネをかけている、双子である、同じ形の髭を生やしている、前髪（髪型）が同じなどの要因により、一定範囲以上類似してしまう辞書情報が存在してしまうことがあり、そのため認証精度を著しく低下させてしまうといった問題点がある。従来はそのような存在を回避するため、登録者全員の運用を複雑にすることにより対応していた。
【０００５】
そこで、本発明は、新規に登録する人の生体情報が既存登録者のものと類似していた場合も認証精度を低下させることなく、常に安定した運用が可能となる生体認証装置および通行制御装置を提供することを目的とする。
【課題を解決するための手段】
【０００６】
本発明の生体認証装置は、あらかじめ認証対象となる被認証者の生体情報を辞書情報として記憶する辞書記憶手段と、認証対象となる被認証者の生体情報を取得する生体情報取得手段と、この生体情報取得手段により取得された生体情報と前記辞書記憶手段に記憶された辞書情報とを照合することにより両情報の類似度を求め、この求めた類似度により当該被認証者が本人であるか否かを判定する照合手段と、新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、この抽出手段の抽出結果を可視表示する表示手段と、この表示手段の表示内容に基づき登録命令が入力されると、前記生体情報取得手段により取得された当該被認証者の生体情報を辞書情報として前記辞書記憶手段に記憶せしめる辞書登録手段とを具備している。
【０００７】
また、本発明の通行制御装置は、あらかじめ認証対象となる通行者の生体情報を辞書情報として記憶する辞書記憶手段と、認証対象となる通行者の生体情報を取得する生体情報取得手段と、この生体情報取得手段により取得された生体情報と前記辞書記憶手段に記憶された辞書情報とを照合することにより両情報の類似度を求め、この求めた類似度により当該通行者が本人であるか否かを判定する照合手段と、この照合手段による判定の結果に基づき当該通行者の通行を制御する通行制御手段と、新規の辞書情報を登録する際、前記生体情報取得手段により取得された生体情報を前記辞書記憶手段に記憶された全ての辞書情報とそれぞれ照合することにより、一定範囲以上類似している辞書情報およびその類似要因を抽出する抽出手段と、この抽出手段の抽出結果を可視表示する表示手段と、この表示手段の表示内容に基づき登録命令が入力されると、前記生体情報取得手段により取得された当該通行者の生体情報を辞書情報として前記辞書記憶手段に記憶せしめる辞書登録手段とを具備している。
【発明の効果】
【０００８】
本発明によれば、新規に辞書情報を登録する際、その前に既に登録されている全ての辞書情報と照合し、一定範囲以上類似している辞書情報が存在する場合、その類似要因を抽出して可視表示することにより、その類似要因に基づき最適な運用方法を新規登録者に提示できるので、新規に登録する人の生体情報が既存登録者のものと類似していた場合も認証精度を低下させることなく、常に安定した運用が可能となる生体認証装置および通行制御装置を提供できる。
【発明を実施するための最良の形態】
【０００９】
以下、本発明の実施例について図面を参照して説明する。  
なお、以下の説明では、被認証者の生体情報として顔画像を用いた場合を例として述べるが、顔画像以外に、指紋画像、虹彩情報、掌形画像、指画像、音声情報などの他の生体情報を用いても同様に実施できる。
【００１０】
図１は、本実施例に係る生体認証装置および通行制御装置が適用される入退場管理システムの構成を概略的に示すものである。この入退場管理システムは、たとえば、１つのドアを制御する場合で、被認証者（以下、人物、通行者、登録者ともいう）の顔画像（少なくとも顔を含んでいる画像）を撮像して入力する生体情報取得手段としての画像入力部１０１、被認証者に対して入力された顔画像や各種案内などを表示する表示手段としての表示部１０２、被認証者を特定する個人ＩＤ（識別情報）やパスワードなどの情報を入力する入力手段としての入力部１０３、画像入力部１０１から入力された画像を処理して当該人物固有の入力特徴情報（顔特徴情報）を取得する生体特徴抽出手段としての顔特徴抽出部１０４、あらかじめ登録されている人物の顔特徴情報を辞書情報として記憶（登録）しておく辞書記憶手段としての辞書記憶部１０５、入力部１０３から入力された個人ＩＤに対応させて特徴抽出部１０４から得られた入力特徴情報を辞書情報として辞書記憶部１０５に登録（記憶）する辞書登録手段としての辞書登録部１０６、登録顔特徴抽出部１０４から得られた入力特徴情報と辞書記憶部１０５内の辞書情報とを照合することにより、入力特徴情報と辞書情報との類似度を求め、求めた類似度が閾値よりも高い場合には当該人物は登録者（本人）であると判定し、求めた類似度が閾値よりも低い場合には未登録者（本人ではない）と判定する照合手段としての照合部１０７、照合部１０７の判定結果に応じて重要施設等の入退場用ドア１０８の開閉制御を行なう通行制御手段としてのドア制御部１０９から構成されている。
【００１１】
画像入力部１０１は、この例の場合、被認証者の顔画像（少なくとも顔を含んでいる画像）を撮像して入力するものであり、たとえば、ＣＣＤセンサなどの撮像素子を用いたテレビジョンカメラから構成されている。
【００１２】
表示部１０２は、たとえば、液晶表示パネルなどで構成されていて、画像入力部１０１で入力された被認証者の顔画像や各種ガイダンス、メッセージなどを表示する。同様に、音声出力が行なえる機器を接続して音声メッセージなどを出力してもよい。
【００１３】
入力部１０３は、たとえば、訪問先の入口などにおいて、被認証者の個人ＩＤやパスワードなどを入力するもので、具体的には、たとえば、テンキーやタッチパネル、あるいは、ＩＣカードや磁気カードあるいは無線カードを読取るカードリーダなどによって実現可能である。
【００１４】
顔特徴抽出部１０４は、画像入力部１０１から入力された画像において、人物の顔を検出して入力特徴情報を抽出（取得）する。顔の検出方法としては、たとえば、文献（福井和広、山口修：「形状抽出とパターン照合の組合せによる顔特徴点抽出」、電子情報通信学会論文誌（Ｄ），ｖｏｌ．Ｊ８０−Ｄ−ＩＩ，Ｎｏ．８，ｐｐ２１７０−２１７７（１９９７））などの方法を用いることで、精度の高い顔の検出が実現可能である。この場合、あらかじめ用意されたテンプレートを画像中を移動させながら相関値を求めることにより、最も高い相関値を持った場所を顔領域とする。
【００１５】
辞書記憶部１０５は、あらかじめシステム全体で利用を許可された人物の生体情報を辞書情報として登録しておくものである。登録する辞書情報としては、入力された顔画像、抽出した特徴量、部分空間、部分空間を構成するための固有ベクトル、相関行列、登録の際の時刻、日時、場所などの状況情報、暗証番号、ＩＤ番号などの個人情報といったものがあげられ、必要に応じて記憶しておくことが可能とするが、本実施例においては、顔特徴抽出部１０４で抽出された顔切出し画像をＫＬ展開によって固有空間に変換して得られたベクトル情報を保存するものとし、この情報を辞書情報として扱う。
【００１６】
辞書登録部１０６は、入力部１０３から入力された個人ＩＤに対応させて特徴抽出部１０４から得られた入力特徴情報を辞書情報として辞書記憶部１０５に登録（記憶）する。
【００１７】
照合部１０７は、顔特徴抽出部１０４から得られた入力特徴情報と辞書記憶部１０５内の辞書情報とを照合することにより、入力特徴情報と辞書情報との類似度を求め、求めた類似度が閾値よりも高い場合には当該人物は登録者（本人）であると判定し、求めた類似度が閾値よりも低い場合には未登録者（本人ではない）と判定する。
【００１８】
照合部１０７は、たとえば、求めた類似度が閾値以上の場合、ドア制御部１０９に「ドア開」の信号を出力し、求めた類似度が閾値よりも小さかった場合、ドア制御部１０９に「ドア閉」の信号を出力する。ドア制御部１０９は、照合部１０７から「ドア開」の信号を受取ると、入退場用ドア１０８を開状態に制御して、通行者の入場を許可し、「ドア閉」の信号を受取ると、入退場用ドア１０８を閉状態に保持して、通行者の入場を拒否する。
【００１９】
次に、このような構成において動作を説明する。  
まず、第１の例について図２に示すフローチャートを参照して説明する。  
新規に辞書情報を登録する場合、管理者により、入力部１０３で本システムを管理者モードに移行した後、検索モードを選択すると（ステップＳ１）、検索モードが設定される（ステップＳ２）。
【００２０】
次に、画像入力部１０１により登録者の顔画像を入力する（ステップＳ３）。顔画像が入力されると、照合部１０７は、顔特徴抽出部１０４により抽出された入力特徴情報を辞書記憶部１０５内の登録されている全ての辞書情報とそれぞれ照合する（ステップＳ４）。
【００２１】
この照合の結果、入力特徴情報と一定範囲以上類似している辞書情報があった場合、その辞書情報およびその類似要因（たとえば、同じメガネをかけている、双子である、同じ形の髭を生やしている、前髪（髪型）が同じ等）を抽出する（ステップＳ５）。このとき、入力特徴情報と一定範囲以上類似している辞書情報が複数あった場合は、その上位から所定数だけ抽出する（ステップＳ６）。ここに、ステップＳ５，Ｓ６の処理が本発明における抽出手段に対応している。
【００２２】
次に、照合部１０７は、上記抽出結果（一定範囲以上類似している辞書情報とその類似要因）を表示部１０２に表示する（ステップＳ７）。ここで、管理者は、表示部１０２の表示内容を目視することにより、表示された類似要因をヒントに下記例（１）〜（４）のように対応方法を決定し、新規登録者に対し運用時の注意を指導する（ステップＳ８）。
【００２３】
（１）  メガネなど、顔の装飾物が似ているため、照合の結果、一定範囲以上類似していると判定された場合は、新規に登録する登録者は、メガネを外して照合してもらうよう指導する。
【００２４】
（２）  兄弟など家族の場合で、マンションの出入口を管理するなど、その照合の結果、一定範囲以上類似している人同士を誤認識しても支障がない場合は、当人たちの合意のもと、運用するゆえを説明する。
【００２５】
（３）  他人の空似の場合、たとえば、その新規に登録する登録者の照合閾値を高くして運用するなどと説明し、運用方法を理解してもらう。
【００２６】
（４）  他人の空似の場合、たとえば、その新規に登録する登録者の照合閾値を高くし、さらに照合後パスワードを入力する運用を適用させてもらうなどと説明し、運用方法を理解してもらう。
【００２７】
上記内容は、新規に辞書情報を登録する場合につき説明したが、照合ＮＧになり易い人あるいは管理者による通行履歴確認の結果、登録者間で誤認識が発生していたことが判明した場合にも適用できる。
【００２８】
さらに、上記照合の結果により新規に辞書情報を登録する登録者に対する運用方法を決める一例について具体的に説明する。  
たとえば、登録者Ｂの辞書情報を新規に登録する場合、既存の辞書情報と照合したら登録者Ａの辞書情報と一定範囲以上類似していると判明したとする。この場合、登録者Ｂと登録者Ａとは同じ所属であり、特に誤認証が生じた場合でも問題ないと判断し、そのまま運用することとする。
【００２９】
また、登録者Ｃの辞書情報を新規に登録するとし、既存の辞書情報と照合したら登録者Ｂの辞書情報と一定範囲以上類似していると判明したとする。この場合、登録者Ｃと登録者Ｂは誤認識せずに判別したい場合、登録者Ｃの照合閾値を上げる（厳しくする）。
【００３０】
さらに、上記照合の結果、最大類似度を示した辞書情報（第１候補者）が登録者Ｂであった場合で、第２候補者が登録者Ｃであった場合は、照合ＯＫの判定結果をだす閾値を上げて判定し、第２候補者が登録者Ａであった場合は、従来の類似度で判定する。
【００３１】
次に、管理者は、入力部１０３で登録モードを選択した後、登録命令を入力することにより、辞書登録部１０６は、当該登録者の生体情報（ステップＳ３で入力された顔画像）を辞書情報として辞書記憶部１０５に記憶（登録）する（ステップＳ９）。
【００３２】
次に、第２の例について図３に示すフローチャートを参照して説明する。  
新規に辞書情報を登録する場合、管理者により、入力部１０３で本システムを管理者モードに移行した後、検索モードを選択すると（ステップＳ１１）、検索モードが設定される（ステップＳ１２）。
【００３３】
次に、画像入力部１０１により登録者の顔画像を入力する（ステップＳ１３）。顔画像が入力されると、照合部１０７は、顔特徴抽出部１０４により抽出された入力特徴情報を辞書記憶部１０５内の登録されている全ての辞書情報とそれぞれ照合する（ステップＳ１４）。
【００３４】
この照合の結果、入力特徴情報と一定範囲以上類似している辞書情報があった場合、その辞書情報およびその類似要因（たとえば、同じメガネをかけている、双子である、同じ形の髭を生やしている、前髪（髪型）が同じ等）を抽出する（ステップＳ１５）。このとき、入力特徴情報と一定範囲以上類似している辞書情報が複数あった場合は、その上位から所定数だけ抽出する（ステップＳ１６）。ここに、ステップＳ１５，Ｓ１６の処理が本発明における抽出手段に対応している。
【００３５】
次に、照合部１０７は、上記抽出結果（一定範囲以上類似している辞書情報とその類似要因）を表示部１０２に表示する（ステップＳ１７）。なお、このステップＳ１７の処理は必ずしも行なう必要はなく、省略してもよい。
【００３６】
次に、照合部１０７は、上記抽出結果に基づき、新規に辞書情報を登録する登録者に対する対応方法（照合方法）を決定する（ステップＳ１８）。すなわち、類似要因（同じメガネをかけている、双子である、同じ形の髭を生やしている、前髪（髪型）が同じ）を明確にし、その登録者の生体情報を照合する際はその部分以外の範囲の特徴を中心に利用することとする。具体的には、類似要因がメガネなら、その登録者を照合するときはメガネの部分以外の範囲に重みをつけて照合することとする。あるいは、顔全体が似ている場合（他人の空似、双子の場合）は、その登録者を照合するときは照合閾値を高くして照合することとするなどである。ここに、ステップＳ１８の処理が本発明における照合方法決定手段に対応している。
【００３７】
ここで、管理者は、入力部１０３で検索モードを終了して（ステップＳ１９）、管理者モードに戻した（ステップＳ２０）後、新規辞書登録モードを選択すると（ステップＳ２１）、検索モードが設定される（ステップＳ２２）。すると、辞書登録部１０６は、ステップＳ１８で決定された照合方法により、当該登録者の生体情報（ステップＳ１３で入力された顔画像）を辞書情報として辞書記憶部１０５に記憶（登録）する（ステップＳ２３）。
【００３８】
次に、第３の例について図４に示すフローチャートを参照して説明する。  
通常の照合モードにおいて、照合が開始されると（ステップＳ３１）、すなわち、被認証者が画像入力部１０１の前に位置すると、画像入力部１０１は当該被認証者の顔画像を入力する（ステップＳ３２）。顔画像が入力されると、照合部１０７は、顔特徴抽出部１０４により抽出された入力特徴情報を辞書記憶部１０５内の登録されている全ての辞書情報とそれぞれ照合する（ステップＳ３３）。
【００３９】
この照合の結果、入力特徴情報と一定範囲以上類似している辞書情報があった場合、その辞書情報およびその類似要因（たとえば、同じメガネをかけている、双子である、同じ形の髭を生やしている、前髪（髪型）が同じ等）を抽出する（ステップＳ３４）。このとき、入力特徴情報と一定範囲以上類似している辞書情報が複数あった場合は、その上位から所定数だけ抽出する。ここに、ステップＳ３４処理が本発明における抽出手段に対応している。
【００４０】
次に、照合部１０７は、上記抽出結果（一定範囲以上類似している辞書情報とその類似要因）を表示部１０２に表示する（ステップＳ３５）。なお、このステップＳ３５の処理は必ずしも行なう必要はなく、省略してもよい。
【００４１】
次に、照合部１０７は、上記抽出結果に基づき、当該被認証者に対する照合方法を決定し学習する（ステップＳ３６）。すなわち、類似要因（同じメガネをかけている、双子である、同じ形の髭を生やしている、前髪（髪型）が同じ）を明確にし、その被認証者の生体情報を照合する際はその部分以外の範囲の特徴を中心に利用するように学習する。具体的には、類似要因がメガネなら、その被認証者を照合するときはメガネの部分以外の範囲に重みをつけて照合する。あるいは、顔全体が似ている場合（他人の空似、双子の場合）は、その被認証者を照合するときは照合閾値を高くして照合する。ここに、ステップＳ３６の処理が本発明における照合方法学習手段に対応している。
【００４２】
さて、照合部１０７における照合の結果、入力特徴情報と辞書情報との類似度が閾値よりも高く、当該被認証者は登録者（本人）であると判定（照合ＯＫと判定）された場合（ステップＳ３７）、照合部１０７は、ドア制御部１０９に対し「ドア開」を指示し（ステップＳ３８）、ステップＳ３１に戻って上記動作を繰り返す。
【００４３】
また、求めた類似度が閾値よりも低く、未登録者（本人ではない）と判定（照合ＮＧと判定）された場合（ステップＳ３７）、照合部１０７は、ドア制御部１０９に対し「ドア閉」を指示する（ステップＳ３９）。ここに、ステップＳ３８，Ｓ３９の処理が本発明における通行制御手段に対応している。
【００４４】
照合ＮＧと判定された場合、被認証者は、ステップＳ３５で表示された類似要因を排除し（ステップＳ４０）、その後、再び照合を開始する。たとえば、メガネが類似要因だった場合は、メガネを外してから再照合する、あるいは、髪型が類似要因だった場合は、髪型をかえて（前髪を上げて）から再照合するなど、表示された類似要因に応じた工夫をすることにより照合され易くできる。
【００４５】
なお、前記実施例では、１つのドアを制御する入退場管理システムに適用した場合について説明したが、たとえば、複数のドアを制御する場合は図５に示すように構成すればよく、動作は前記実施例と同様である。図５によれば、この入退場管理システムは、生体情報（辞書情報）を登録する１つの登録部１００、複数のドアにそれぞれ対応して設置され、生体認証を行なう複数の認証部２００，３００，…、および、これらを互いに通信可能に接続するＬＡＮなどの通信回線４００によって構成されている。
【００４６】
登録部１００は、画像入力部１０１、入力部１０３、顔特徴抽出部１０４、辞書記憶部１０５、辞書登録部１０６から構成されていて、これらは前記実施例（図１）におけるそれと同様である。
【００４７】
認証部２００は、画像入力部１０１ａ、表示部１０２ａ、顔特徴抽出部１０４ａ、照合部１０７ａ、ドア制御部１０９ａから構成されていて、これらは前記実施例（図１）におけるそれと同様であり、入退場用ドア１０８ａを制御する。
【００４８】
認証部３００は、画像入力部１０１ｂ、表示部１０２ｂ、顔特徴抽出部１０４ｂ、照合部１０７ｂ、ドア制御部１０９ｂから構成されていて、これらは前記実施例（図１）におけるそれと同様であり、入退場用ドア１０８ｂを制御する。
【００４９】
なお、登録部１００内の辞書記憶部１０５の辞書情報は、通信回線４００を介して認証部２００，３００の各照合部１０７ａ，１０７ｂにそれぞれ送信され、照合処理に提供されるようになっている。
【図面の簡単な説明】
【００５０】
【図１】本発明の実施例に係る生体認証装置および通行制御装置が適用される入退場管理システムの構成を概略的に示すブロック図。
【図２】動作の第１の例について説明するフローチャート。
【図３】動作の第２の例について説明するフローチャート。
【図４】動作の第３の例について説明するフローチャート。
【図５】本発明の他の実施例に係る生体認証装置および通行制御装置が適用される入退場管理システムの構成を概略的に示すブロック図。
【符号の説明】
【００５１】
１０１…画像入力部（生体情報取得手段）、１０２…表示部（表示手段）、１０３…入力部（入力手段）、１０４…顔特徴抽出部（生体特徴抽出手段）、１０５…辞書記憶部（辞書記憶手段）、１０６…辞書登録部（辞書登録手段）、１０７…照合部（照合手段）、１０８…入退場用ドア、１０９…ドア制御部（通行制御手段）。
【図１】
2005063173.tif 000003
【図２】
2005063173.tif 000004
【図３】
2005063173.tif 000005
【図４】
2005063173.tif 000006
【図５】
2005063173.tif 000007